(57)【特許請求の範囲】
【請求項１】
扉部材が下端を中心に片開き自在に設けられており、扉部材の後方に床面が連設されており、かつ、その床面の後方に、床面と連通した導球面を有しており支軸を中心として導球面の左右を上下させるように傾動する傾動部材が設けられているとともに、導球面の左右両側に、それぞれ通過孔が隣設されており、片開きした扉部材の裏面を通って床面を転動した遊技球が、傾動した傾動部材によって、高い確率で導球面の非上昇側を転動した後に非上昇側と隣接した通過孔に導かれる遊技球入賞装置であって、
前記床面は、その後端縁がＶ字状となるように前方から後方にかけて次第に幅狭となっているとともに、下向きに傾斜した状態で連設されている一方、
前記傾動部材は、支軸を前記導球面よりも下方に備えているとともに、前記導球面を、その前端縁が前記床面の後端縁と合致するようなＶ字状で、且つ前記支軸を最下端とした下向きに凸な形状に形成されており、
前記傾動部材が傾動した場合に、前記導球面の片側が前記床面よりも上方まで上昇する一方、前記導球面の非上昇側が前記床面と面一になることを特徴とする遊技球入賞装置。
【請求項２】
前記導球面が、前記支軸を中心として左右対称に形成されていることを特徴とする請求項１に記載の遊技球入賞装置。
【請求項３】
各通過孔が、前記導球面の左右両側の後方に隣設されていることを特徴とする請求項１、または請求項２に記載の遊技球入賞装置。
【発明の詳細な説明】
【０００１】
【発明の属する技術分野】
本発明は、パチンコ機に設置される遊技球入賞装置に関するものである。
【０００２】
【従来の技術】
従来の遊技球入賞装置としては、前面の支持板に、扉部材が下端縁を中心として片開き自在に枢着されており、扉部材の後方に、幅広なシーソー部材が、駆動装置によって左右に傾動自在に横設されているとともに、シーソー部材の左右の外側にそれぞれ通過孔が付設されたいわゆるシーソータイプの遊技球入賞装置が知られている。かかるシーソータイプの遊技球入賞装置は、駆動装置によりシーソー部材を傾動させることによって、片開きした扉部材の裏面を通って内部に入り込んだ遊技球を、高い確率でシーソー部材の非上昇側（上昇側と反対側）の外側に設けられた通過孔に導くことができる。
【０００３】
【発明が解決しようとする課題】
しかしながら、上記従来のシーソータイプの遊技球入賞装置は、シーソー部材を傾動させた場合に、内部に入り込んだ遊技球のうちの多くが、シーソー部材の非上昇側の外側に設けられた通過孔に導かれるものの、シーソー部材の上昇側の外側に設けられた通過孔に導かれることも多い。このため、設置されるパチンコ機において、設計上の規約等により、片方の通過孔を通過する遊技球の割合を規制する必要がある場合に、その片方の通過孔を通過する遊技球の割合が、規制される範囲を外れてしまうこともあった。
【０００４】
本発明の目的は、上記従来のシーソータイプの遊技球入賞装置が有する問題点を解消し、シーソー部材を傾動させた場合に、内部に入り込んだ遊技球を、高い確率でシーソー部材の非上昇側に隣設された通過孔に導くことができ、設置されるパチンコ機において、片方の通過孔を通過する遊技球の割合を一定の範囲内に調節することが容易な遊技球入賞装置を提供することにある。
【０００５】
【課題を解決するための手段】
かかる本発明の構成のうち、請求項１に記載された発明の構成は、扉部材が下端を中心に片開き自在に設けられており、扉部材の後方に床面が連設されており、かつ、その床面の後方に、床面と連通した導球面を有しており支軸を中心として導球面の左右を上下させるように傾動する傾動部材が設けられているとともに、導球面の左右両側に、それぞれ通過孔が隣設されており、片開きした扉部材の裏面を通って床面を転動した遊技球が、傾動した傾動部材によって、高い確率で導球面の非上昇側を転動した後に非上昇側と隣接した通過孔に導かれる遊技球入賞装置であって、前記床面は、その後端縁がＶ字状となるように前方から後方にかけて次第に幅狭となっているとともに、下向きに傾斜した状態で連設されている一方、前記傾動部材は、支軸を前記導球面よりも下方に備えているとともに、前記導球面を、その前端縁が前記床面の後端縁と合致するようなＶ字状で、且つ前記支軸を最下端とした下向きに凸な形状に形成されており、前記傾動部材が傾動した場合に、前記導球面の片側が前記床面よりも上方まで上昇する一方、前記導球面の非上昇側が前記床面と面一になることにある。
請求項２に記載された発明の構成は、請求項１に記載された発明において、前記導球面が、前記支軸を中心として左右対称に形成されていることにある。
請求項３に記載された発明の構成は、請求項１、または請求項２に記載された発明において、各通過孔が、前記導球面の左右両側の後方に隣設されていることにある。
【０００６】
【発明の実施の形態】
以下、本発明の遊技球入賞装置（以下、単に入賞装置という）の一実施形態を図面に基づいて詳細に説明する。
【０００７】
図１〜図４は、それぞれ、入賞装置の正面図、背面図、分解斜視図、前方斜視図である。また、図５、図６は、それぞれ、後述する扉部材を片開きした状態を示したものであり、図７、図８は、それぞれ、扉部材を片開きした入賞装置の鉛直断面（図１におけるＡ−Ａ線断面）、水平断面（図１におけるＢ−Ｂ線断面）を示したものである。入賞装置１は、支持板２、扉部材３、第一支持フレーム４、傾動部材５、第二支持フレーム６、表示器１２、ソレノイド８ａ，８ｂ、検出センサ（遊技球検出装置）１３ａ，１３ｂ，１４ａ，１４ｂ、作動片２９、作動アーム１７、ランプ部材９、作動部材２４、誘導部材１０ａ，１０ｂ、導球部材１１ａ，１１ｂ、保護カバー７等によって組み立て形成されている。
【０００８】
支持板２は、横長な平板状に形成されており、中央に、横長な長方形状で上下に遊技球略１個分の幅を有する開口部１８が設けられている。開口部１８は、左右の下端が中央の下端より下方まで切り欠かれており、左右の下端際に、支持溝４４，４４が刻設されている。また、開口部１８の中央の下端には、後方に突出するように、床面３２が設けられている。床面３２は、前方から後方にかけて次第に幅狭になっており、後端縁がＶ字状になっているとともに、前方から後方にかけて下向きに傾斜した状態になっている。加えて、開口部１８の中央上方には、略半円状に切り欠き２０が設けられている。
【０００９】
また、支持板２の中央の後方には、第一支持フレーム４が固着されている。第一支持フレーム４は、中央に遊技球通過孔４２が設けられており、その遊技球通過孔４２の左右に、２つのガイド板４５，４５が平行に配設されている。さらに、左右のガイド板４５，４５の下端際には、支持溝２７，２７が設けられており、左側の支持溝２７の後方には、ガイド孔２８が設けられている。そして、第一支持フレーム４は、ガイド板４５，４５の端面を支持板２の裏面（開口部１８の左右）に当接させ、各ガイド板４５，４５の支持溝２７を、支持板２の開口部１８の左右の支持溝４４と合致させた状態で、支持板２の後方に固着されている。
【００１０】
一方、開口部１８の前方には、開口部１８と略同様な形状（すなわち、左右の下端を下方に突出させた横長の長方形状）を有する扉部材３が、左右両端の外側の軸孔４１，４１に挿入した開閉軸である支軸ピン１５ａ，１５ｂを、支持板２の支持溝４４，４４と第１支持フレーム４のガイド板４５，４５の支持溝２７，２７とによって形成された孔に係止させた状態で、支軸ピン１５ａ，１５ｂを中心として回動自在に枢着されている。扉部材３は、下方の部分が上方の部分よりも肉厚に形成されており、開閉軸よりも後方へ突出した状態になっている。加えて、扉部材３の左右の端縁には、中央から下側にかけて、支持翼４０，４０が前方に突出するように設けられている。
【００１１】
加えて、支持板２と第一支持フレーム４の間には、作動アーム１７が作動軸１６をスリット２６から後方へ突出させた状態で、支軸ピン４７によって回動自在に枢着されている。また、ガイド孔２８内には、扉部材３の左端縁に突設された作動ピン３４が遊嵌された状態になっている。
【００１２】
一方、支持板２の左右には、誘導部材１０ａ，１０ｂが設けられており、それらの誘導部材１０ａ，１０ｂの上部には、検出センサ１３ａ，１３ｂが設けられている。さらに、支持板２の左右の後方には、導球部材１１ａ，１１ｂが設けられており、誘導部材１０ａ，１０ｂの後方に位置した状態になっている。また、左側の誘導部材１０ａの下側には、ランプ部材９に設置された４個のＬＥＤ２５，２５・・が露呈している。加えて、開口部１８の右側には、表示窓１９が穿設されており、その表示窓１９から表示器１２が露呈した状態になっている。さらに、支持板２の周囲には、ネジ溝３５，３５が穿設されている。
【００１３】
さらに、第一支持フレーム４の後方には、第二支持フレーム６が固着されている。第二支持フレーム６は、中央の後方に遊技球通路２２が鉛直に設けられており、その遊技球通路２２の前側が振り分け体２１になっている。加えて、遊技球通路２２の左右には、通過孔３１ａ，３１ｂが設けられており、それらの通過孔３１ａ，３１ｂの下側には、遊技球検出装置である検出センサ１４ａ，１４ｂが設置されている。また、第二支持フレーム６の後方には、不正行為を防止するための金属製の保護カバー７が取り付けられており、その保護カバー７に固着されたソレノイド８ａ，８ｂが、左右の通過孔３１ａ，３１ｂの外側に位置した状態になっている。そして、ソレノイド８ａのプランジャ２３に係着された作動片２９の作動孔４６が、第一支持フレーム４のスリット２６から突出した作動アーム１７の作動軸１６と係合した状態になっている。
【００１４】
また、第一支持フレーム４と第二支持フレーム６との間には、傾動部材５が枢着されている。傾動部材５は、幅広なシーソー板３７の左右両端に、下向きコ字状のアーム部４８を連設した左右対称な形状を有しており、アーム部４８の水平部分と、シーソー板３７との間隔が、遊技球１個分よりわずかに大きくなっている。シーソー板３７は、左右をわずかに上向きに傾斜させたＶ字状になっており、前端縁が床面３２の後端縁と合致するようにＶ字状になっている。さらに、上側の面が、床面３２を転動した遊技球を通過孔３１ａ，３１ｂへ導く導球面３３として機能するようになっている。一方、アーム部４８の中央上側には、２つの係合溝４３，４３が設けられている。かかる傾動部材５は、シーソー板３７の中央下側に連設された筒状部３６に支軸３０を挿入させた状態で、支軸３０を中心として左右に傾動自在に枢着されており、ソレノイド８ｂのプランジャ２３に係着された作動部材２４の係合突起３８，３８が、傾動部材５の係合部３７と係合した状態になっている。
【００１５】
上記の如く構成された入賞装置１は、図１０に示すように、ネジ孔３５，３５・・を利用して、支持板２の背面をパチンコ機５１の遊技盤５２の表面に当着させた状態で使用される。そして、所定の場合に、左側のソレノイド８ａに電源が投入され、作動片２９が左側にスライドし、そのスライドにより作動アーム１７が回動し、作動アーム１７と係合している作動ピン３４が上方へ付勢され、扉部材３が、開閉軸である支軸ピン１５ａ，１５ｂを中心として片開きする。なお、扉部材３の左端縁に突設された作動ピン３４の動きがガイド孔２８によって規制されるとともに、扉部材３の支持翼４０，４０の下端縁が、支持板２の表面に当接することによって、扉部材３は、所定の角度で傾斜するように片開きする。
【００１６】
また、図９は、床面３２および傾動部材５を示したもの（図８におけるＣ−Ｃ線断面を示したもの）である。右側のソレノイド８ｂに電源が投入されていない場合には、ソレノイド８ｂのプランジャ２３が、コイルバネ（図示せず）によって作動部材２４とともに左側に押し出されているため、傾動部材５は、支軸３０を中心に左下がりに傾斜しており、導球面３３の右側の上面と床面３２の表面との間に段差が形成された状態になっている（図９（ａ）の状態）。一方、このように傾動部材５が左下がりに傾斜した状態においては、シーソー板３７の導球面３３の非上昇側（上昇側の反対側）は、床面３２と面一になっており、床面３２と段差を形成していない。このため、床面３２を転動する遊技球Ｙは、高い確率で振り分け体２１の左側を通って左側の通過孔３１ａへ導かれる。そして、右側のソレノイド８ｂに電源が投入されると、作動部材２４が右側に移動し（すなわち、係合突起３８，３８が右側に移動し）、その移動に伴って、傾動部材５が支軸３０を中心に右下がりに傾斜するため、導球面３３の左側の上面と床面３２の表面との間に段差が形成される（図９（ｂ）の状態）。一方、傾動部材５が右下がりに傾斜すると、導球面３３の非上昇側は、床面３２と面一になり、床面３２との段差が解消される。このため、床面３２を転動する遊技球Ｙは、高い確率で振り分け体２１の右側を通って右側の通過孔３１ｂへ導かれる。なお、通過孔３１ａ，３１ｂを通過した遊技球Ｙは、通過孔３１ａ，３１ｂの下側に位置した検出センサ１４ａ，１４ｂによって検出される。
【００１７】
入賞装置１は、上記の如く、傾動部材５が、支軸３０を導球面３３よりも下方に設けたものであり、傾動した場合に、導球面３３の片側を床面よりも上方まで上昇させるものであるため、床面３２を転動した遊技球Ｙを、非常に高い確率で誘導面３３の非上昇側と隣接した通過孔３１ａあるいは３１ｂ（すなわち、検出センサ１４ａあるいは１４ｂ）へ導くことができる。したがって、設置されるパチンコ機５１において、片方の通過孔を通過する遊技球の割合を一定の範囲内に調節することが容易である。
【００１８】
また、入賞装置１は、傾動部材５が傾動した場合に、傾動部材５の導球面３３の非上昇側が床面３２と面一になるため、床面３２を転動した遊技球Ｙを、誘導面３３の非上昇側と隣接したいずれかの通過孔３１ａあるいは３１ｂ（すなわち、検出センサ１４ａあるいは１４ｂ）へ、導球面３３と床面３２との境界でバウンド等させたりすることなく、非常にスムーズに導くことができる。
【００１９】
さらに、入賞装置１は、導球面３３が、支軸３０を最下端として下向きに凸な形状になっており、導球面３３の非上昇側が床面３２と面一になるように傾動部材５が傾動した場合に、導球面３３の上昇側が床面３２よりもかなり高い位置まで上昇するので、床面３２を転動した遊技球Ｙを、きわめて高い確率で誘導面３３の非上昇側と隣接した通過孔３１ａあるいは３１ｂ（すなわち、検出センサ１４ａあるいは１４ｂ）へ導くことができる。
【００２０】
加えて、入賞装置１は、導球面３３が、支軸３０を中心として左右対称に形成されているため、傾動部材５が左下がりに傾動した場合に遊技球Ｙが通過孔３１ａ（すなわち、検出センサ１４ａ）に導かれる確率と、傾動部材５が右下がりに傾動した場合に遊技球Ｙが通過孔３１ｂ（すなわち、検出センサ１４ｂ）に導かれる確率とが同じである。したがって、パチンコ機５１において、遊技球Ｙが片側の通過孔を通過したときに何らかの特典を与えるように設計する必要がある場合に、遊技球が左側の通過孔３１ａ（すなわち、検出センサ１４ａ）を通過したときに特典を与えるように設計しても、右側の通過孔３１ｂ（すなわち、検出センサ１４ｂ）を通過したときに特典を与えるように設計しても、特典の生起確率が異ならない。このため、パチンコ機５１の設計時における自由度が大きい。
【００２１】
加えて、入賞装置１は、各通過孔３１ａ，３１ｂが、導球面３３の左右両側の後方に隣設されているので、幅狭に設計することが可能である。したがって、パチンコ機の遊技盤面の設置スペースが限られている場合でも、何ら問題なく設置することができる。
【００２２】
なお、本発明の入賞装置の構成は、上記実施形態の態様に何ら限定されるものではなく、支持板、扉部材、第一支持フレーム、第二支持フレーム、傾動部材、入賞検知センサ等の構成を、本発明の趣旨を逸脱しない範囲で、必要に応じて適宜変更できる。たとえば、傾動部材は、アーム部を有するものに限定されず、シーソー板に直接的に係合溝を設けたもの等でも良い。また、入賞装置は、内部に２つの通過孔を有するものに限定されず、１つあるいは３つ以上の通過孔を有するものでも良い。さらに、扉部材を開閉する駆動装置や、傾動部材を揺動させる駆動装置は、ソレノイドに限定されず、モータ等でも良い。
【００２３】
【発明の効果】
請求項１に記載されたシーソータイプの入賞装置は、傾動部材が、支軸を導球面よりも下方に設けたものであり、傾動した場合に、導球面の片側を床面よりも上方まで上昇させるものであるため、床面を転動した遊技球を、非常に高い確率で誘導面の非上昇側と隣接した通過孔へ導くことができる。したがって、設置されるパチンコ機において、片方の通過孔を通過する遊技球の割合を一定の範囲内に調節することが容易である。
また、傾動部材が傾動した場合に、傾動部材の導球面の非上昇側が床面と面一になるため、床面を転動した遊技球を、誘導面の非上昇側と隣接した通過孔へ、導球面と床面との境界でバウンド等させたりすることなく、非常にスムーズに導き入れることができる。
さらに、導球面が、支軸を最下端として下向きに凸な形状になっており、導球面の非上昇側が床面と面一になるように傾動部材が傾動した場合に、導球面の上昇側が床面よりもかなり高い位置まで上昇するので、床面を転動した遊技球を、きわめて高い確率で誘導面の非上昇側と隣接した通過孔へ導くことができる。
【００２４】
請求項２に記載されたシーソータイプの入賞装置は、導球面が、支軸を中心として左右対称に形成されており、傾動部材が左下がりに傾動した場合でも右下がりに傾動した場合でも、遊技球が導球面の非上昇側と隣接した通過孔に導かれる確率が同じであるため、設置されるパチンコ機において、遊技球が片側の通過孔を通過したときに何らかの特典を与えるように設計する必要がある場合に、遊技球が左側の通過孔を通過したときに特典を与えるように設計しても、遊技球が右側の通過孔を通過したときに特典を与えるように設計しても、特典の生起確率が異ならないので、設置されるパチンコ機の設計の自由度を大きくすることができる。
【００２５】
請求項３に記載されたシーソータイプの入賞装置は、各通過孔が、導球面の左右両側の後方に隣設されているので、幅狭に設計することが可能である。したがって、パチンコ機の遊技盤面の設置スペースが限られている場合でも、何ら問題なく設置することができる。
【図面の簡単な説明】
【図１】入賞装置の正面図である。
【図２】入賞装置の背面図である。
【図３】入賞装置の分解斜視図である。
【図４】入賞装置の前方斜視図である。
【図５】入賞装置の正面図（扉部材が片開きした状態）である。
【図６】入賞装置の前方斜視図（扉部材が片開きした状態）を示す説明図である。
【図７】扉部材が片開きした入賞装置の鉛直断面図である（図１におけるＡ−Ａ線断面を、パチンコ機の遊技盤とともに示したものである）。
【図８】扉部材が片開きした入賞装置の水平断面図である（図１におけるＢ−Ｂ線断面を、パチンコ機の遊技盤とともに示したものである）。
【図９】床面および傾動部材を示す説明図である。
【図１０】入賞装置を設置したパチンコ機の正面図である。
【符号の説明】
１・・入賞装置、２・・支持板、３・・扉部材、４・・第一支持フレーム、５・・傾動部材、６・・第二支持フレーム、７・・保護カバー、８ａ，８ｂ・・ソレノイド、９・・ランプ部材、１０ａ，１０ｂ・・誘導部材、１１ａ，１１ｂ・・導球部材、１２・・表示器、１３ａ，１３ｂ，１４ａ，１４ｂ・・検出センサ、１５ａ，１５ｂ・・支持ピン、１６・・作動軸、１７・・作動アーム、１８・・開口部、１９・・表示窓、２０・・切り欠き、２１・・振り分け体、２２・・遊技球通路、２３・・プランジャ、２４・・作動部材、２５・・ＬＥＤ、２６・・スリット、２７・・支持溝、２８・・ガイド孔、２９・・作動片、３０・・支軸、３１ａ，３１ｂ・・通過孔、３２・・床面、３３・・導球面、３４・・作動ピン、３５・・ネジ溝、３６・・筒状部、３７・・シーソー板、３８・・係合突起、３９・・軸孔、４０・・支持翼、４１・・軸孔、４２・・遊技球通過孔、４３・・係合溝、４４・・支持溝、４５・・ガイド板、４６・・作動孔、４７・・支持ピン、４８・・アーム部、５１・・パチンコ機、５２・・遊技盤、５３・・図柄表示装置、６１・・入賞装置、６２・・開口部、６３・・遊技球検出装置、６４・・扉部材、６５・・開閉軸、６６・・支持板、６７・・床面、Ｙ・・遊技球。
【図１】
0003574371.tif 000002
【図２】
0003574371.tif 000003
【図３】
0003574371.tif 000004
【図４】
0003574371.tif 000005
【図５】
0003574371.tif 000006
【図６】
0003574371.tif 000007
【図７】
0003574371.tif 000008
【図８】
0003574371.tif 000009
【図９】
0003574371.tif 000010
【図１０】
0003574371.tif 000011